【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
第１の外面と反対側の第２の外面とを有し、皿ぐり部が各外面に位置しており、これら皿ぐり部が穴により結合されている工作物に対して使用されるリベット組立体であって、
本体と工具側フランジとを含み、前記本体は前記フランジからリベット組み立て前のブラインド側端部まで延びる円柱状外面を含み、該フランジの表面は該本体の外面から外向きにテーパ状になっている、ブラインドリベットと、
取り付け前の状態で前記リベットを通って延びる細長いステムと、リベット取り付け前の状態で前記ステムより横方向に大きいヘッドとを含み、外向きにテーパ状になったショルダが該ステムに隣接する側で前記ヘッド上に形成された、マンドレルと、
を備え、
前記ヘッドは、リベット取り付けの際、破断することなく前記マンドレルの前記ステムから前記リベットを通して完全に引き抜かれるように構成され、
取り付けの際に前記ヘッドの前記引き抜きにより、前記リベット本体の前記ブラインド側端部が前記隣接した皿ぐり部内で外向きに拡張し、
前記リベットの前記フランジは、リベット取り付け後の状態で、該フランジに隣接した皿ぐり部内に位置するようになる
ことを特徴とするリベット組立体。
【請求項２】
実質的に切頭円錐形の陥凹部を含む第１の工作物と、実質的に切頭円錐形の陥凹部を含む第２の工作物とを少なくとも含む工作物に対して使用されるリベット組立体であって、
工具側端部と反対側のブラインド側端部とを含み、貫通ボアが形成されたブラインドリベットと、
少なくともリベット取り付け前の状態で前記リベットの前記貫通ボア内に配置されたステム及びマンドレルヘッドを含み、前記マンドレルヘッドは、前記ステムから該マンドレルヘッドのブラインド側端部に向けて横方向に拡大するショルダを含む形状であるマンドレルと、
を備え、
前記マンドレルヘッドは、リベット取り付けの際、前記リベットの前記ブラインド側端部を前記隣接した陥凹部内で外向きに拡張し、
前記マンドレルヘッドは、リベット取り付けの際、前記マンドレルステムから破断することなく、前記リベットを通して完全に引き抜かれ、
前記リベットの前記工具側端部及び前記ブラインド側端部は、前記工作物の工具側面及びブラインド側面と実質的に同一平面であるか又は同一平面より低くなり、
前記マンドレルヘッドは、リベット取り付けの際、変形し、横方向の断面積が減少するようになる
ことを特徴とするリベット組立体。
【請求項３】
リベットを工作物に取り付ける方法であって、
（ａ）リベット取り付け前の状態で横方向に拡大した工具側フランジを有するリベットと、ヘッド及び細長いステムを含み、前記リベットを通って延びるマンドレルとを準備し、
（ｂ）前記工作物の隣接した外面と実質的に同一平面であるか又は同一平面より低くなるように、該工作物の第１の陥凹部内に前記工具側フランジを配置し、
（ｃ）リベット取り付けの際、前記マンドレルステムから前記マンドレルヘッドを破断することなく、前記リベットを通して該マンドレルヘッドを完全に引き抜き、前記工作物の隣接した第２の外面と実質的に同一平面であるか又は同一平面より低くなるように、該リベットの末端部を該工作物の第２の陥凹部内で外向きに拡張する、
ステップを含むことを特徴とする方法。
【請求項４】
リベット取り付けの際、前記マンドレルヘッドを変形させるステップをさらに含むことを特徴とする、請求項３に記載の方法。
【請求項５】
（ａ）前記マンドレルステムを取付工具のジョー内に配置し、
（ｂ）前記取付工具のノーズピースを前記リベットの前記工具側フランジに当接させ、  （ｃ）前記工作物の工具側からのリベット取り付けの際、前記マンドレルを前記リベットから引き抜き、除去することにより、リベット組み立てのみを行い、
（ｄ）前記リベットの組み立て後、前記マンドレルを廃棄する、
ステップをさらに含むことを特徴とする請求項３又は４に記載の方法。
【請求項６】
（ａ）工具側端部と、反対側のブラインド側端部と、前記端部間のリベット本体とを含み、前記工具側端部は隣接した前記リベット本体の壁厚と比べて厚い壁厚を有し、前記リベットは、該リベット全体を通って延びる貫通ボアを含み、該リベット本体は、事前に組み立てられた状態で円柱状外面を有するように構成されたブラインドリベットと、
（ｂ）リベット取り付け前に締まり嵌め状態で前記リベットの前記貫通ボア内に配置されたステムと、前記ステムからマンドレルヘッドに向けて横方向に拡大するショルダを含むヘッドとを有するマンドレルと、
を備え、
前記マンドレルの前記ショルダは、前記ステムに隣接する側に配置された第１の周方向連続面と、前記第１の面と前記ヘッドとの間に配置された第２の異なる周方向連続面とをさらに含み、該ショルダの前記面は、形状が異なり同軸に位置合わせされ、各々の断面は、リベット取り付け前の状態で外周が円形であり、
前記マンドレルの前記ヘッドは、リベット組み立ての際、前記マンドレルステムから該ヘッドを破断することなく、前記リベットを通って完全に引き抜かれるように構成され、該マンドレルの前記ヘッドは、前記引き抜きの際に変形するように構成されることを特徴とするリベット組立体。
【請求項７】
前記リベットは、リベット組み立ての際に破断されないことを特徴とする、請求項６に記載のリベット組立体。
【請求項８】
前記リベットにより互いに締結される工作物に対して使用されるものであり、前記工作物は、そのブラインド側の皿穴と、その工具側の皿穴とを含み、該リベットの両端部は、リベット組み立て後に実質的に同一平面の状態又は同一平面より低い状態で各々の皿穴内に配置されることを特徴とする、請求項６又は７に記載のリベット組立体。
【請求項９】
前記マンドレルの前記ショルダから突出する少なくとも１つのリブをさらに含むことを特徴とする、請求項１、請求項２、又は請求項６から請求項８までのいずれか１項に記載のリベット組立体。
【請求項１０】
前記マンドレルの前記ショルダの前記面の少なくとも１つは、切頭円錐形のテーパ形状を有することを特徴とする、請求項１、請求項２、又は請求項６から請求項９までのいずれか１項に記載のリベット組立体。
【請求項１１】
前記マンドレルの前記ショルダの前記第１及び第２の面は、２つの異なる角度の切頭円錐形テーパ状面を含むことを特徴とする、請求項１、請求項２、又は請求項６から請求項９までのいずれか１項に記載のリベット組立体。
【請求項１２】
前記マンドレルの前記ショルダの前記面の少なくとも１つは、前記マンドレルの側面から見たときに湾曲したテーパ形状を有することを特徴とする、請求項１、請求項２、又は請求項６から請求項１１までのいずれか１項に記載のリベット組立体。
【請求項１３】
前記ステムとは反対側にある前記マンドレルヘッドの端部が凹面を含むことを特徴とする、請求項１、請求項２、又は請求項６から請求項１２までのいずれか１項に記載のリベット組立体。
【請求項１４】
本体と工具側フランジとを含み、前記本体は、リベット組み立て前の状態で前記フランジからブラインド側端部まで円柱状外面を含む、ブラインドリベットと、
少なくともリベット取り付け前の状態で前記リベットの前記貫通ボア内に配置されるステムと、前記ステムからマンドレルヘッドのブラインド側端部に向けて横方向に拡大するショルダを有するヘッドとを含むマンドレルと、
を備え、
前記マンドレルの前記ショルダは、第１及び第２の異なる周方向連続面を含むことを特徴とするブラインドリベット装置。
【請求項１５】
前記第１及び第２の異なる周方向連続面は、２つの異なる角度の切頭円錐形テーパ状面を含むことを特徴とする、請求項１４に記載のブラインドリベット装置。
【請求項１６】
前記ステムの反対側にある前記マンドレルの端部は凹面を含むことを特徴とする、請求項１４又は１５に記載のブラインドリベット装置。
【請求項１７】
前記マンドレルヘッドは、取り付けの際、前記マンドレルステムから該ヘッドを破断することなく、前記リベットを通して引き抜かれるように構成されることを特徴とする、請求項１４から請求項１６までのいずれか１項に記載のブラインドリベット装置。
【請求項１８】
前記マンドレルヘッドは、前記引き抜きの際に変形するように構成されることを特徴とする、請求項１４から請求項１７までのいずれか１項に記載のブラインドリベット装置。
【請求項１９】
前記第１及び第２の異なる周方向連続面は、２つの異なる角度の切頭円錐形テーパ状面を含むことを特徴とする、請求項１４から請求項１８までのいずれか１項に記載のブラインドリベット装置。
【請求項２０】
本体と工具側フランジとを含むブラインドリベットと、
少なくともリベット取り付け前の状態で前記リベットの前記貫通ボア内に配置されるステムと、前記ステムからマンドレルヘッドのブラインド側端部に向けて横方向に拡大するショルダを有するヘッドとを含むマンドレルと、
を備え、
前記マンドレルの前記ショルダは、少なくとも２つの異なる角度の切頭円錐形テーパ状面を含み、
前記マンドレルの前記ヘッドは、取り付けの際、前記マンドレルステムから破断することなく、前記リベットを通して引き抜かれるように構成され、
前記マンドレルの前記ヘッドは、前記引き抜きの際に変形するように構成されたことを特徴とするブラインドリベット装置。